(57)【特許請求の範囲】
【請求項１】
電波を出力し且つその応答データを受信可能なＮＦＣ回路と、
情報を表示する表示部と、
前記ＮＦＣ回路を介して取得したデータに所定の情報が含まれているか否かに基づいて前記ＮＦＣ回路の近傍にＮＦＣユニットを位置させないことを促す情報を前記表示部に表示させるか否かを決定する手段と、
を有することを特徴とする情報処理装置。
【請求項２】
前記情報を前記表示部に表示させる決定が行われた状態において、前記電波の出力調整は行われない ことを特徴とする請求項１に記載の情報処理装置。
【請求項３】
前記出力調整は前記電波の強度調整であることを特徴とする請求項２に記載の情報処理装置。
【請求項４】
前記強度調整は、前記電波の強度を弱くする調整であることを特徴とする請求項３に記載の情報処理装置。
【請求項５】
前記出力調整は前記電波の出力タイミングの調整であることを特徴とする請求項２に記載の情報処理装置。
【請求項６】
前記出力調整後に、前記ＮＦＣ回路の動作確認を促す画面を表示部に表示させる手段を有することを特徴とする請求項２乃至５のいずれか１項に記載の情報処理装置。
【請求項７】
前記促す画面はＮＦＣカードの近接操作を促す画面であることを特徴とする請求項６に記載の情報処理装置。
【請求項８】
前記出力調整後の所定の期間中に前記ＮＦＣ回路によるＮＦＣカードの読み取り処理が実行されなかったことに基づいて前記電波の更なる出力調整を行うことを特徴とする請求項２乃至７のいずれか１項に記載の情報処理装置。
【請求項９】
ＮＦＣを用いてデータを送信可能な内蔵タグ回路と、
前記出力調整後の所定の期間中に前記ＮＦＣ回路によるＮＦＣカードの読み取り処理が実行されなかったことに基づいて、前記内蔵タグ回路によるデータ送信を禁止する手段と、を有することを特徴とする請求項２乃至８のいずれか１項に記載の情報処理装置。
【請求項１０】
ＮＦＣを用いてデータを送信可能な内蔵タグ回路と、
前記内蔵タグ回路によるデータの送信が不能で且つ前記近距離無線通信回路による電波の出力が可能な第１の状態と、前記内蔵タグ回路によるデータの送信が可能で且つ前記ＮＦＣ回路による電波の出力が不能な第２の状態と、を周期的に切り替える手段と、を有することを特徴とする請求項２乃至８のいずれか１項に記載の情報処理装置。
【請求項１１】
前記所定の情報はデータ送信元のタグ回路が前記情報処理装置に設けられた内蔵タグ回路であることを示す情報であることを特徴とする請求項２乃至１０のいずれか１項に記載の情報処理装置。
【請求項１２】
前記所定の情報はデータ送信元のタグ回路のデバイス情報であることを特徴とする請求項２乃至１１のいずれか１項に記載の情報処理装置。
【請求項１３】
前記タグ回路はＮＦＣタグであり、
前記ＮＦＣ回路はＮＦＣリーダライタであることを特徴とする請求項２乃至１２のいずれか１項に記載の情報処理装置。
【請求項１４】
電波を出力し且つその応答データを受信可能なＮＦＣ回路を備える情報処理装置の制御方法であって、前記ＮＦＣ回路を介して取得したデータに所定の情報が含まれているか否かに基づいて前記ＮＦＣ回路の近傍にＮＦＣユニットを位置させないことを促す情報を前記表示部に表示させるか否かを決定する工程を有することを特徴とする制御方法。
【請求項１５】
電波を出力し且つその応答データを受信可能なＮＦＣ回路を備える情報処理装置の制御方法をコンピュータに実行させるプログラムであって、前記制御方法は、前記ＮＦＣ回路を介して取得したデータに所定の情報が含まれているか否かに基づいて前記ＮＦＣ回路の近傍にＮＦＣユニットを位置させないことを促す情報を前記表示部に表示させるか否かを決定する工程を有することを特徴とするプログラム。
【請求項１６】
電波を出力し且つその応答データを受信可能なＮＦＣ回路と、
情報を表示する表示部と、
前記ＮＦＣ回路を介して取得したデータに所定の情報が含まれていることに基づいて、前記電波の出力調整を促す画面を前記表示部に表示させる手段と、
を有することを特徴とする情報処理装置。
【請求項１７】
前記出力調整は前記電波の強度調整であることを特徴とする請求項１６に記載の情報処理装置。
【請求項１８】
前記強度調整は、前記電波の強度を弱くする調整であることを特徴とする請求項１７に記載の情報処理装置。
【請求項１９】
前記出力調整は前記電波の出力タイミングの調整であることを特徴とする請求項１６に記載の情報処理装置。
【請求項２０】
前記出力調整後に、前記ＮＦＣ回路の動作確認を促す画面を前記表示部に表示させる手段を有することを特徴とする請求項１６乃至１９のいずれか１項に記載の情報処理装置。
【請求項２１】
前記促す画面はＮＦＣカードの近接操作を促す画面であることを特徴とする請求項２０に記載の情報処理装置。
【請求項２２】
前記出力調整後の所定の期間中に前記ＮＦＣ回路によるＮＦＣカードの読み取り処理が実行されなかったことに基づいて前記電波の更なる出力調整を行うことを特徴とする請求項１６乃至２１のいずれか１項に記載の情報処理装置。
【請求項２３】
ＮＦＣを用いてデータを送信可能な内蔵タグ回路と、
前記出力調整後の所定の期間中に前記ＮＦＣ回路によるＮＦＣカードの読み取り処理が実行されなかったことに基づいて、前記内蔵タグ回路によるデータ送信を禁止する手段と、を有することを特徴とする請求項１６乃至２２のいずれか１項に記載の情報処理装置。
【請求項２４】
ＮＦＣを用いてデータを送信可能な内蔵タグ回路と、
前記内蔵タグ回路によるデータの送信が不能で且つ前記ＮＦＣによる電波の出力が可能な第１の状態と、前記内蔵タグ回路によるデータの送信が可能で且つ前記ＮＦＣによる電波の出力が不能な第２の状態と、を周期的に切り替える手段と、を有することを特徴とする請求項１６乃至２２のいずれか１項に記載の情報処理装置。
【請求項２５】
前記所定の情報はデータ送信元のタグ回路が前記情報処理装置に設けられた内蔵タグ回路であることを示す情報であることを特徴とする請求項１６乃至２４のいずれか１項に記載の情報処理装置。
【請求項２６】
前記所定の情報はデータ送信元のタグ回路のデバイス情報であることを特徴とする請求項１６乃至２５のいずれか１項に記載の情報処理装置。
【請求項２７】
前記タグ回路はＮＦＣタグであり、
前記ＮＦＣ回路はＮＦＣリーダライタであることを特徴とする請求項１６乃至２６のいずれか１項に記載の情報処理装置。
【請求項２８】
電波を出力し且つその応答データを受信可能なＮＦＣ回路と情報を表示する表示部とを備える情報処理装置の制御方法であって、前記ＮＦＣ回路を介して取得したデータに所定の情報が含まれていることに基づいて、前記電波の出力調整を促す画面を前記表示部に表示させる工程を有することを特徴とする制御方法。
【請求項２９】
電波を出力し且つその応答データを受信可能なＮＦＣ回路と情報を表示する表示部とを備える情報処理装置の制御方法をコンピュータに実行させるプログラムであって、前記制御方法は、前記ＮＦＣ回路を介して取得したデータに所定の情報が含まれていることに基づいて、前記電波の出力調整を促す画面を前記表示部に表示させる工程を有することを特徴とするプログラム。
【請求項３０】
前記決定する手段 は、前記ＮＦＣ回路を介して取得したデータに所定の情報が含まれていないことに基づいて前記ＮＦＣ回路の近傍にＮＦＣユニットを位置させないことを促す情報を前記表示部に表示させることを決定することを特徴とする請求項１に記載の情報処理装置。
【発明の詳細な説明】
【技術分野】
【０００１】
本発明は、情報処理装置、制御方法およびプログラムに関する。
【背景技術】
【０００２】
近接無線通信機能を有する情報処理装置が提案されている。例えば、第１の近接無線通信ユニットであるＮＦＣタグを用いて携帯端末とのペアリングを行い、第２の近接無線通信ユニットであるＮＦＣリーダライタがＮＦＣカードを読み取ることで認証を行う情報処理装置が提案されている。特許文献１は、ＮＦＣ接続を利用して、プリンタと無線設定値を通信する通信機器を開示している。
【先行技術文献】
【特許文献】
【０００３】
【特許文献１】特開２０１５−１３０６３７号公報
【発明の概要】
【発明が解決しようとする課題】
【０００４】
認証に用いるＮＦＣリーダライタがＮＦＣタグに近接して配置されている情報処理装置では、ＮＦＣリーダライタがＮＦＣタグを読み取ってしまい、ＮＦＣリーダライタが正常に認証動作を行うことができなくなるという問題がある。この問題を解決するために、ＮＦＣリーダライタの動作とＮＦＣタグの動作とをユーザの操作による切り替えによって排他制御することが考えられるが、ユーザにとって不便である。本発明は、複数の近接無線通信ユニットが近接して配置された場合であっても、それぞれの近接無線通信ユニットを用いた近接無線通信を適切に実行することが可能な情報処理装置の提供を目的とする。
【課題を解決するための手段】
【０００５】
本実施形態の情報処理装置は、電波を出力し且つその応答データを受信可能なＮＦＣ回路と、情報を表示する表示部と、前記ＮＦＣ回路を介して取得したデータに所定の情報が含まれているか否かに基づいて前記ＮＦＣ回路の近傍にＮＦＣユニットを位置させないことを促す情報を前記表示部に表示させるか否かを決定する手段と、を有する。
【発明の効果】
【０００６】
本発明の情報処理装置によれば、複数の近接無線通信ユニットが近接して配置された場合であっても、それぞれの近接無線通信ユニットを用いた通信を適切に実行することができる。
【図面の簡単な説明】
【０００７】
【図１】本実施形態のシステム構成を示す図である。
【図２】ＮＦＣデバイスボックスの外観の一例を示す図である。
【図３】ＮＦＣデバイスボックスの配置の一例を示す図である。
【図４】ＮＦＣリーダライタの電波強度を説明する図である。
【図５】操作部のＬＣＤに表示する情報を示す図である。
【図６】ペアリング情報の一例を示す図である。
【図７】実施例１の情報処理装置の動作処理を説明する図である。
【図８】実施例１の情報処理装置の動作処理を説明する図である。
【図９】実施例２の情報処理装置の動作処理を説明する図である。
【図１０】ペアリングの指示がされた場合の動作処理を説明する図である。
【図１１】トップメニュー画面の表示例である。
【図１２】操作部での画面表示例である。
【発明を実施するための形態】
【０００８】
（実施例１）
以下に、図面を参照して、本実施形態を説明する。ただし、本実施形態に記載されている構成要素は、あくまで例示であり、本発明の範囲を本実施形態のみに限定する趣旨のものではない。
【０００９】
図１は、本実施形態のシステム構成を示す図である。
図１中のＭＦＰ（Ｍｕｌｔｉｆｕｎｃｔｉｏｎ  Ｐｅｒｉｐｈｅｒａｌ）１０００が、本実施形態の情報処理装置である。ＭＦＰ１０００は、近接無線通信機能として、例えば、ＮＦＣ（Ｎｅａｒ  Ｆｉｅｌｄ  Ｃｏｍｍｕｎｉｃａｔｉｏｎ）に準じた無線通信を実行する機能を有する。ＭＦＰ１０００は、ＮＦＣタグユニット２１０、ＮＦＣリーダライタユニット２２０、無線ＬＡＮユニット２３０、操作部３００、コントローラ４００、リーダ５００、プリンタ６００を備える。以下では、ＮＦＣタグユニットを、単に「ＮＦＣタグ」とも記述する。また、ＮＦＣリーダライタユニットを、単に「ＮＦＣリーダライタ」とも記述する。
【００１０】
まず、ペアリング動作について説明する。
リーダライタ動作を行っている携帯端末１０１が、ＭＦＰ１０００が備える第１の近接無線通信ユニットであるＮＦＣタグ２１０のアンテナ２１１にかざされた場合を想定する。携帯端末１０１は、ＮＦＣタグ回路２１２内に記憶されている、無線ＬＡＮ（Ｌｏｃａｌ  Ａｒｅａ  Ｎｅｔｗｏｒｋ）のためのペアリング情報を読み取る。
【００１１】
ペアリング情報は、ＳＳＩＤとＫＥＹの文字列から構成される。ペアリング情報は、予め、コントローラ４００からＵＡＲＴを介してＣＰＵ３０２へ通知され、メモリ７００に記憶される。ペアリング情報は、さらに、ＵＡＲＴで接続されたＮＦＣタグ回路２１２の不揮発記憶領域に書き込まれる。不揮発記憶領域には、ＮＤＥＦと呼ばれる規定のフォーマットにしたがい、ＭＦＰ１０００に内蔵されているＮＦＣタグであることを示す特定の文字列も書き込まれている。
【００１２】
図６は、ペアリング情報の一例を示す図である。
ＳＳＩＤ  Ａｔｔｒｉｂｕｔｅ  Ｖａｌｕｅは、ＳＳＩＤを示す。Ｎｅｔｗｏｒｋ  Ｋｅｙ  Ａｔｔｒｉｂｕｔｅ  Ｖａｌｕｅは、ＫＥＹを示す。Ｉｄｅｎｔｉｔｙ  Ａｔｔｒｉｂｕｔｅ  Ｖａｌｕｅは、ＩＰアドレスを示す。Ｄｅｖｉｃｅ  Ｉｎｆｏ  ＴＬＶ  Ｖａｌｕｅは、機器名称を示す。
【００１３】
図１の説明に戻る。携帯端末１０１は、読み取ったペアリング情報を用いて、無線ＬＡＮにて、無線ＬＡＮユニット２３０のアンテナ２３１および無線ＬＡＮ回路を介し、ＭＦＰ１０００と接続する。携帯端末１０１は、上記手順でＭＦＰ１０００と接続することで、印刷データをＭＦＰ１０００へ投入する。ＭＦＰ１０００全体を制御するコントローラ４００が、投入された印刷データをプリンタ６００に印刷出力させる。また、携帯端末１０１は、リーダ５００によって読み取られたデータをコントローラ４００を介して受信する。操作部３００は、コントローラ４００の制御により各種情報を表示し、ユーザの操作入力を受け付ける。このために、操作部は、キー／ＬＥＤ３０１、ＣＰＵ３０２、ＬＣＤ３０３を備える。
【００１４】
次に、カード認証動作について説明する。第２の近接無線通信ユニットであるＮＦＣリーダライタ２２０は、カード認証動作に用いられる。このために、ＮＦＣリーダライタ２２０は、ＮＦＣリーダライタ回路２２２と、アンテナ２２１を備える。ＮＦＣリーダライタ２２０は、ＵＳＢインタフェースによりコントローラ４００から制御され、ポーリング動作を行う。
【００１５】
ＮＦＣカード１０２は、ＭＦＰ１０００に設けられていない第３の近接無線通信ユニットである。ＮＦＣカード１０２は、例えば、認証処理に用いられる。ＮＦＣリーダライタ２２０は、ＮＦＣカード１０２内の情報を読み取り、読み取った情報をコントローラ４００へ通知する。また、ＮＦＣリーダライタ２２０は、コントローラ４００からコマンドを受け取り、電波強度を変えることもできる。さらに、ＮＦＣリーダライタ２２０は、電波強度の設定値などをコントローラ４００内のメモリ７００に保存できる。コントローラ４００は、取得したカード情報を参照して認証可否を判断する。認証可である場合、ユーザは、ＭＦＰ１０００へログインし、ＭＦＰ１０００へアクセスする権限を与えられる。
【００１６】
図２は、ＮＦＣデバイスボックスの外観の一例を示す図である。
本実施形態では、ＮＦＣタグ２１０とＮＦＣリーダライタ２２０とは、図２に示すようなＮＦＣデバイスボックス２４０に収められている。ＮＦＣデバイスボックス２４０は、ＭＦＰ１０００のユーザが、ＮＦＣデバイスを使用するときにかざす場所の迷いをなくし、ＮＦＣデバイスを集中配置することを目的としたものである。
【００１７】
図３は、ＭＦＰにおけるＮＦＣデバイスボックスの配置の一例を示す図である。
ＮＦＣデバイスボックス２４０は、ＭＦＰ１０００が備える操作部３００の近傍に設
置される。また、ＮＦＣタグ回路２１２は、無線通信動作であるＲＦ（Ｒａｄｉｏ  Ｆｒｅｑｕｅｎｃｙ）動作を許可または停止する設定が、ＣＰＵ３０２によって制御可能な構成である。
【００１８】
ＲＦ動作が許可されると、ＮＦＣタグ回路２１２は、ＮＦＣリーダライタ２２０からの読み取り要求に応答する動作となる。ＲＦ動作が禁止されると、ＮＦＣタグ回路２１２は、ＮＦＣリーダライタからの読み取り要求に応答しない動作になる。ＲＦ動作を許可あるいは停止する機能は、ＣＰＵ３０２によってＮＦＣタグ回路２１２内のＮＦＣ通信ＬＳＩのレジスタを書き換えることによって切り替えることが可能である。
【００１９】
図４は、ＮＦＣデバイスボックスの断面とＮＦＣリーダライタの電波強度を説明する図である。
コントローラ４００は、ＮＦＣリーダライタ２２０とＮＦＣタグ２１０を設置した時にＮＦＣリーダライタ２２０にポーリングをさせ、ＮＦＣリーダライタ２２０がＮＦＣタグ２１０を読み取ってしまうかどうかを判断する。
【００２０】
図４（Ａ）は、ＮＦＣリーダライタ２２０の電波強度が４の時の状態を示す図である。電波強度が４の時、ＮＦＣリーダライタ２２０がＮＦＣタグ２１０を読む事ができる範囲は、範囲４０１になる。したがって、ＮＦＣリーダライタ２２０は、ＮＦＣタグ２１０を読み取ってしまう。本実施形態では、ＮＦＣリーダライタ２２０がＮＦＣタグ２１０を読み取ってしまう場合には、コントローラ４００は、ＮＦＣリーダライタ２２０の電波強度をＮＦＣリーダライタ２２０がＮＦＣタグ２１０を読み取らない電波強度まで変更する制御を実行する。
【００２１】
図４（Ｂ）は、ＮＦＣリーダライタ２２０の電波強度を１段階ずつ落としていき、電波強度が２になった時の図である。電波強度が２の時、ＮＦＣリーダライタ２２０がＮＦＣタグ２１０を読むことができる範囲は、範囲４０２となる。この状態では、ＮＦＣリーダライタ２２０はＮＦＣタグ２１０を読み取らなくなる。この時の電波強度を維持する。
【００２２】
図５は、操作部のＬＣＤに表示する情報を示す図である。
ＮＦＣリーダライタ２２０がＮＦＣタグ２１０を読み取らなくなり、ＮＦＣリーダライタ２２０の電波強度を維持している時、コントローラ４００は、ＬＣＤ３０３に図５に示す画面５０１を表示する。画面５０１には、ＮＦＣリーダライタ２２０の電波強度の調整が完了し、ＮＦＣカード１０２を近接させる（かざす）ことを促すメッセージが表示される。
【００２３】
ユーザが、ＮＦＣカード１０２をかざして、ＮＦＣリーダライタ２２０がＮＦＣカード１０２を読めた場合は、コントローラ４００は、電波強度を２に抑えたＮＦＣリーダライタ２２０と、常にＲＦ動作が許可されたＮＦＣタグ２１０とを同時動作させる。ＮＦＣリーダライタ２２０がＮＦＣカード１０２を読めない場合は、コントローラ４００は、電波強度を元の電波強度である４に戻す。そして、コントローラ４００は、ＮＦＣリーダライタ２２０と、ＮＦＣタグ２１０とを時分割動作させる。例えば、コントローラ４００は、ＮＦＣリーダライタ２２０を所定の時間（例えば５００ｍｓ）ごとに動作させ、ＮＦＣリーダライタ２２０が動作している間は、ＮＦＣタグ２１０のＲＦ動作を許可しない。そして、コントローラ４００は、ＮＦＣリーダライタ２２０が動作していない間は、ＮＦＣタグ２１０のＲＦ動作を許可する。
【００２４】
図７および図８は、実施例１の情報処理装置の動作処理を説明するフローチャートである。
図７および図８に示すフローチャートの処理は、ＭＦＰ１０００の電源ＯＮ時に実行される。まず、Ｓ７０１において、コントローラ４００が、ＮＦＣリーダライタ２２０とＮＦＣタグ２１０とが設置されているかを判断する。ＮＦＣリーダライタ２２０とＮＦＣタグ２１０とが設置されていない場合は、処理がＳ７０１に戻る。ＮＦＣリーダライタ２２０とＮＦＣタグ２１０とが設置されている場合は、処理がＳ７１５に進む。
【００２５】
Ｓ７１５において、コントローラ４００が、ＮＦＣリーダライタ２２０とＮＦＣタグ（内蔵タグ）２１０のデバイス設定がメモリ７００に記憶されているかを判断する。本実施例では、デバイス設定は、ＮＦＣリーダライタ２２０とＮＦＣタグ２１０を時分割動作させるか同時動作させるかを示す。デバイス設定がメモリ７００に記憶されている場合は、コントローラ４００は、このデバイス設定にしたがって、ＮＦＣリーダライタ２２０とＮＦＣタグ２１０を動作させて、処理を終了する。デバイス設定がメモリ７００に記憶されていない場合は、処理がＳ７０２に進む。Ｓ７０２において、コントローラ４００が、ＮＦＣリーダライタ２２０のポーリング動作を開始する。また、Ｓ７０３において、コントローラ４００が、ＮＦＣタグ２１０のＲＦ動作を許可する。
【００２６】
次に、Ｓ７０４において、コントローラ４００が、ＮＦＣリーダライタ２２０がＮＦＣタグ２１０を読み取ったかを判断する。ＮＦＣリーダライタ２２０がＮＦＣタグ２１０を読み取っていない場合は、処理がＳ７１４に進む。Ｓ７１４において、コントローラ４００が、ＮＦＣリーダライタ２２０とＮＦＣタグ２１０とを同時動作させる。
【００２７】
ＮＦＣリーダライタ２２０がＮＦＣタグ２１０を読み取った場合は、処理がＳ７０５に進む。ここで、ＮＦＣリーダライタ２２０のポーリング動作時に、ユーザがＮＦＣタグ機能を搭載したモバイルを誤って近くに置いていた場合、正確な調整ができない。したがって、コントローラ４００は、ＮＦＣタグ２１０の読み値が、内蔵タグすなわちＭＦＰ１０００に内蔵されているデバイスを示す形式のデータが書かれているか否かを判断する。この例では、コントローラ４００は、読み値に基づいて、Ｄｅｖｉｃｅ  Ｉｎｆｏ  ＴＬＶ  Ｖａｌｕｅ＝“ｍａｋｅｒ  ＭＦ８５００Ｃ  Ｓｅｒｉｅｓ”が成立しているかを判断する。Ｄｅｖｉｃｅ  Ｉｎｆｏ  ＴＬＶ  Ｖａｌｕｅ＝“ｍａｋｅｒ  ＭＦ８５００Ｃ  Ｓｅｒｉｅｓ”が成立している場合、読み値は内蔵タグを示す形式のデータが書かれている。この場合には、処理がＳ７０６に進む。Ｄｅｖｉｃｅ  Ｉｎｆｏ  ＴＬＶ  Ｖａｌｕｅ＝“ｍａｋｅｒ  ＭＦ８５００Ｃ  Ｓｅｒｉｅｓ”が成立していない場合、読み値は内蔵タグを示す形式のデータが書かれていない。この場合には、処理がＳ７１３に進む。
【００２８】
Ｓ７１３において、コントローラ４００が、所定の情報を通知する。すなわち、コントローラ４００は、近接無線通信ユニットであるＮＦＣデバイスをＮＦＣリーダライタ２２０に近接させないことを促す情報を操作部３００に表示させる。この例では、「リーダライタの近傍にＮＦＣデバイスを置かないで下さい」というメッセージを操作部３００に表示させる。
【００２９】
Ｓ７０６において、コントローラ４００が、ＮＦＣリーダライタ２２０の電波強度を１段階弱める。そして、処理が図８のＳ７０７に進む。なお、ＮＦＣリーダライタ２２０の電波強度を１段階弱めるのは例示であり、コントローラ４００は、電波強度を複数段階弱めるようにしてもよい。
【００３０】
また、Ｓ７０６において、コントローラ４００が、操作部３００を制御して、図１２の画面９０１に示すように、ＮＦＣリーダライタ２２０の電波強度の調整をユーザに促す表示をし、ユーザの操作に応じて電波強度を調整してもよい。ユーザが、ボタン９０２を押し下げすると、コントローラ４００は、電波強度を「４」に調整する。ユーザが、ボタン９０３を押し下げすると、コントローラ４００は、電波強度を「２」に調整する。
【００３１】
Ｓ７０７において、コントローラ４００が、ＮＦＣリーダライタ２２０がＮＦＣタグ２１０を読み取ったかを判断する。ＮＦＣリーダライタ２２０がＮＦＣタグ２１０を読み取った場合は、処理が図７のＳ７０６に戻る。ＮＦＣリーダライタ２２０がＮＦＣタグ２１０を読み取らなかった場合は、処理がＳ７０８に進む。Ｓ７０８において、コントローラ４００が、ＮＦＣタグ（内蔵タグ）を読み取らなかった時の電波強度を維持する。
【００３２】
ここで、電波強度を弱めたために、ＮＦＣリーダライタ２２０が、ログイン等に用いるユーザのＮＦＣカードを読む事ができなくなってしまう可能性がある。したがって、Ｓ７０９において、コントローラ４００は、ＮＦＣカードをＮＦＣリーダライタ２２０に近接させることを促す表示を行う。具体的には、操作部３００に、「カードをかざして下さい」というメッセージが表示される。
【００３３】
次に、コントローラ４００が、ＮＦＣリーダライタ２２０がＮＦＣカードを読み取れたかを判断する。ＮＦＣリーダライタ２２０がＮＦＣカードを読み取れた場合は、処理がＳ７１２に進む。Ｓ７１２において、コントローラ４００が、電波強度を弱めたＮＦＣリーダライタ２２０とＮＦＣタグ２１０とを同時動作させる。そして、処理がＳ７１６に進む。
【００３４】
ＮＦＣリーダライタ２２０がＮＦＣカードを読み取れなかった場合は、処理がＳ７１１に進む。Ｓ７１１において、コントローラ４００が、電波強度を変更前の電波強度に戻したＮＦＣリーダライタ２２０とＮＦＣタグ２１０とを時分割動作させる。
次に、Ｓ７１６において、コントローラ４００が、調整した電波強度の設定とＮＦＣリーダライタ２２０とＮＦＣタグ２１０とを時分割動作させるか同時動作させるかの設定をデバイス設定としてメモリ７００に記憶する。そして、処理が終了する。
【００３５】
（実施例２）
実施例２では、ＭＦＰ１０００は、電源ＯＮ時には、ＮＦＣリーダライタ２２０がＮＦＣカード１０２を読めない場合は、電波強度を戻してＮＦＣタグ２１０の動作を停止させる。この時に、コントローラ４００が、操作部３００を制御して、ペアリングを行うかをユーザに選択させるボタンをトップメニュー画面に表示する。このボタンが押し下げられてペアリングの指示がされると、コントローラ４００が、当該ペアリングの指示に応じた処理を開始する。
【００３６】
図９は、実施例２の情報処理装置の動作処理を説明するフローチャートである。
実施例２では、前述した図７に示す処理と、図９に示す処理とを実行する。図７および図９に示す処理は、電源ＯＮ時に実行される。
【００３７】
図９のＳ７０７乃至Ｓ７１２は、図８のＳ７０７乃至Ｓ７１２と同様である。実施例２では、Ｓ７１０の判断処理で、ＮＦＣリーダライタ２２０がＮＦＣカードを読み取れなかった場合は、処理がＳ８０１に進む。Ｓ８０１において、コントローラ４００が、ＮＦＣリーダライタ２２０の電波強度を元に戻し、ＮＦＣタグ２１０の動作を停止させる。そして、Ｓ８０２において、コントローラ４００が、調整した電波強度の設定と、ＮＦＣリーダライタ２２０とＮＦＣタグ２１０を同時動作させるか否かの設定をデバイス設定としてメモリ７００に記憶して、処理を終了する。
【００３８】
図１０は、ペアリングの指示がされた場合の情報処理装置の動作処理を説明するフローチャートである。
まず、前提として、図９のＳ７１０において、ＮＦＣリーダライタ２２０がＮＦＣカードを読み取れなかった場合に、コントローラ４００は、所定の選択を行うための画面を表示する。具体的には、図１１に示すように、操作部３００のトップメニュー画面にペアリング指示ボタン９１０を表示する。ペアリング指示ボタン９１０は、ペアリングの指示を行うためのボタンである。ペアリング指示ボタン９１０の選択待ちの状態においては、コントローラ４００は、ＮＦＣリーダライタ２２０を動作させ、ＮＦＣタグ２１０の無線通信動作を許可しない。ペアリング指示ボタン９１０が選択されると、コントローラ４００が、操作部３００を介して、ペアリングの指示を受ける。なお、コントローラ４００は、ＮＦＣリーダライタ２２０がＮＦＣカードを読み取れた場合には、ペアリング指示ボタン９１０を表示しない。この場合には、ペアリングの指示を行う必要がないからである。
【００３９】
図１０のＳ９０１において、コントローラ４００が、ペアリングの指示を受けたかを判断する。コントローラ４００が、ペアリングの指示を受けていない場合は、処理がＳ９０５に進む。コントローラ４００が、ペアリングの指示を受けた場合は、処理がＳ９０２に進む。
【００４０】
Ｓ９０２において、コントローラ４００が、ＮＦＣタグ２１０の動作を開始する。続いて、コントローラ４００が、所定時間（例えば、３０秒）が経過したかを判断する。所定時間が経過していない場合は、処理がＳ９０３に戻る。所定時間が経過した場合は、処理がＳ９０４に進む。
【００４１】
Ｓ９０４において、コントローラ４００が、ＮＦＣタグ２１０の動作を停止させる。そして、処理がＳ９０５に進む。Ｓ９０５において、コントローラ４００が、ＭＦＰ１０００の電源をＯＦＦにするかを判断する。ＭＦＰ１０００の電源をＯＦＦにしない場合は、処理がＳ９０１に戻る。一方、ＭＦＰ１０００の電源をＯＦＦにする場合は、処理を終了する。
【００４２】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４３】
３００  操作部
４００  コントローラ
１０００  ＭＦＰ
【図１】
0006701003.tif 000002
【図２】
0006701003.tif 000003
【図３】
0006701003.tif 000004
【図４】
0006701003.tif 000005
【図５】
0006701003.tif 000006
【図６】
0006701003.tif 000007
【図７】
0006701003.tif 000008
【図８】
0006701003.tif 000009
【図９】
0006701003.tif 000010
【図１０】
0006701003.tif 000011
【図１１】
0006701003.tif 000012
【図１２】
0006701003.tif 000013